【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
操作を行うようにプロセッサを構成するための命令を含む非一過性コンピュータ可読媒体であって、前記操作が、
患者のグルコースレベルに関係する、デバイス上の１つ以上の警告を生成するためのアプリケーションを実行することを含む、操作を行うように構成され、前記実行することが、
患者の現在のグルコースレベルにアクセスすることと、
前記１つ以上の警告と関連する１つ以上の条件にアクセスすることであって、前記１つ以上の条件が、前記現在のグルコースレベルと１つ以上の閾値との間の関係を定義する、アクセスすることと、
前記１つ以上の条件が満たされるかどうかを決定することと、
前記１つ以上の条件が満たされる場合に、前記デバイスの状態及び前記アプリケーションの状態のうちの１つ以上に基づいて生成される前記１つ以上の警告を生成することと、を含む、非一過性コンピュータ可読媒体。
【請求項２】
前記デバイスの前記状態が、ロック状態、ロック解除状態、消音状態、及び消音解除状態のうちの１つ以上であり、前記アプリケーションの状態が、活動状態または停止状態である、請求項１に記載の非一過性コンピュータ可読媒体。
【請求項３】
前記アプリケーションが前記デバイスのスクリーンの前景に表示されるときに、前記アプリケーションが活動状態であり、前記アプリケーションが前記デバイスの前記スクリーンの背景に表示されるときに、前記アプリケーションが停止状態である、請求項２に記載の非一過性コンピュータ可読媒体。
【請求項４】
前記１つ以上の警告が、前記デバイスが消音状態であるときに１つ以上の非聴覚的警告を含み、前記１つ以上の非聴覚的警告が、振動、または前記デバイスのスクリーンに表示される視覚化のうちの１つ以上を含み、前記視覚化が、点滅するスクリーンまたは陰影の付いたスクリーンを含む、請求項２に記載の非一過性コンピュータ可読媒体。
【請求項５】
前記１つ以上の警告が、前記デバイスがロックされた状態であるときに、前記デバイスのロックされたスクリーンに表示された１つ以上のローカルの通知を含み、前記１つ以上のローカルの通知が、前記１つ以上の警告と関連する識別子を表示する、請求項２に記載の非一過性コンピュータ可読媒体。
【請求項６】
前記１つ以上のローカルの通知が、前記現在のグルコースレベルと、前記現在のグルコースレベルの変化率を表す傾向矢印とを更に表示する、請求項５に記載の非一過性コンピュータ可読媒体。
【請求項７】
前記１つ以上の警告が、前記デバイスがロック解除状態であり、前記アプリケーションが停止状態であるときに、１つ以上のバナーを含み、前記１つ以上のバナーが、前記１つ以上の警告と関連する識別子を、前記デバイスのスクリーン上に所定の期間表示する、請求項２に記載の非一過性コンピュータ可読媒体。
【請求項８】
前記１つ以上の警告が、１つ以上の聴覚的警告を更に含む、請求項７に記載の非一過性コンピュータ可読媒体。
【請求項９】
前記操作が、
前記１つ以上の警告の認知が受信されるまで、または前記１つ以上の条件がそれ以上満たされないときに、前記１つ以上の警告を所定の頻度で再生成することを更に含む、請求項１に記載の非一過性コンピュータ可読媒体。
【請求項１０】
前記１つ以上の警告が、緊急の低い警告、低い警告、高い警告、上昇率警告、下降率警告、またはデータなし警告を含む、請求項１に記載の非一過性コンピュータ可読媒体。
【請求項１１】
前記緊急の低い警告が変更可能でない、請求項１０に記載の非一過性コンピュータ可読媒体。
【請求項１２】
前記操作が、
所定の期間中の１つ以上の警告と関連する前記１つ以上の閾値を調整することであって、前記調整することが、前記１つ以上の警告の１つ以上の条件が前記調整することを行わない場合より頻繁に満たされるようにする、請求項１に記載の非一過性コンピュータ可読媒体。
【請求項１３】
前記調整することが、夜間モード中に行われる、請求項１２に記載の非一過性コンピュータ可読媒体。
【請求項１４】
方法であって、
少なくとも１つのプロセッサによって、患者のグルコースレベルに関係する、デバイス上の１つ以上の警告を生成するためのアプリケーションを実行することを含み、前記実行することが、
少なくとも１つのプロセッサによって、患者の現在のグルコースレベルにアクセスすることと、
少なくとも１つのプロセッサによって、前記１つ以上の警告と関連する１つ以上の条件にアクセスすることであって、前記１つ以上の条件が、前記現在のグルコースレベルと１つ以上の閾値との間の関係を定義する、アクセスすることと、
少なくとも１つのプロセッサによって、前記１つ以上の条件が満たされるかどうかを決定することと、
少なくとも１つのプロセッサによって、前記１つ以上の条件が満たされる場合に、前記デバイスの状態及び前記アプリケーションの状態のうちの１つ以上に基づいて生成される前記１つ以上の警告を生成することと、を含む、方法。
【請求項１５】
前記デバイスの前記状態が、ロック状態、ロック解除状態、消音状態、及び消音解除状態のうちの１つ以上であり、前記アプリケーションの状態が、活動状態または停止状態である、請求項１４に記載の方法。
【請求項１６】
前記アプリケーションが前記デバイスのスクリーンの前景に表示されるときに、前記アプリケーションが活動状態であり、前記アプリケーションが前記デバイスの前記スクリーンの背景に表示されるときに、前記アプリケーションが停止状態である、請求項１５に記載の方法。
【請求項１７】
前記１つ以上の警告が、前記デバイスが消音状態であるときに１つ以上の非聴覚的警告を含み、前記１つ以上の非聴覚的警告が、振動、または前記デバイスのスクリーンに表示される視覚化のうちの１つ以上を含み、前記視覚化が、点滅するスクリーンまたは陰影の付いたスクリーンを含む、請求項１５に記載の方法。
【請求項１８】
前記１つ以上の警告が、前記デバイスがロックされた状態であるときに、前記デバイスのロックされたスクリーンに表示された１つ以上のローカルの通知を含み、前記１つ以上のローカルの通知が、前記１つ以上の警告と関連する識別子を表示する、請求項１５に記載の方法。
【請求項１９】
前記１つ以上のローカルの通知が、前記現在のグルコースレベルと、前記現在のグルコースレベルの変化率を表す傾向矢印とを更に表示する、請求項１８に記載の方法。
【請求項２０】
前記１つ以上の警告が、前記デバイスがロック解除状態であり、前記アプリケーションが停止状態であるときに、１つ以上のバナーを含み、前記１つ以上のバナーが、前記１つ以上の警告と関連する識別子を、前記デバイスのスクリーン上に所定の期間表示する、請求項１５に記載の方法。
【請求項２１】
前記１つ以上の警告が、１つ以上の聴覚的警告を更に含む、請求項２０に記載の方法。
【請求項２２】
少なくとも１つのプロセッサによって、前記１つ以上の警告の認知が受信されるまで、または前記１つ以上の条件がそれ以上満たされないときに、前記１つ以上の警告を所定の頻度で再生成することを更に含む、請求項１４に記載の方法。
【請求項２３】
前記１つ以上の警告が、緊急の低い警告、低い警告、高い警告、上昇率警告、下降率警告、またはデータなし警告を含む、請求項１４に記載の方法。
【請求項２４】
前記緊急の低い警告が変更可能でない、請求項２３に記載の方法。
【請求項２５】
少なくとも１つのプロセッサによって、所定の期間中の前記１つ以上の警告と関連する前記１つ以上の閾値を調整することであって、前記調整することが、前記１つ以上の警告の１つ以上の条件が前記調整することを行わない場合より頻繁に満たされるようにする、請求項１４に記載の方法。
【請求項２６】
前記調整することが、夜間モード中に行われる、請求項２５に記載の方法。